(57)【要約】      （修正有）【課題】燃焼筐２内の擬似薪を載置する支持板の下側に、第１バーナとその後側の左右一対の第２バーナとを上端部が支持板に開設した各バーナ用開口に嵌合するように配置し、更に、第１バーナと第２バーナとの間に、支持板に開設した透孔を通して支持板上に突出するように点火部材を配置する暖炉型暖房器において、第１と第２の各バーナの直上部に臨む火炎検知素子を取外さなくても、支持板を取外してバーナのメンテナンスを行うことができるようにする。【解決手段】支持板１２を、第２バーナ用火炎検知素子１９より後側で各第２バーナ用開口１２ｂの横方向外端部から支持板１２の横方向の外縁に達する第１分割線Ｌ１と、点火部材の配置部の横方向両側で第１バーナ用開口１２ａの後縁から各第２バーナ用開口１２ｂの前縁に達する第２分割線Ｌ２とで前板１２１と後板１２２とに２分割する。【選択図】図５
2006183920.tif 000002
【特許請求の範囲】
【請求項１】
外ケースと、外ケース内に設けた燃焼筐とを備え、外ケースの前面側から燃焼筐内を目視可能とした暖炉型暖房器であって、燃焼筐内の下部に配置した支持板上に擬似薪が載置され、支持板の下側に、横方向に長手の第１バーナと、第１バーナの後側に位置する横方向に長手の左右一対の第２バーナとが配置され、支持板に、第１バーナの上端部を嵌合させる第１バーナ用開口と、左右の第２バーナの上端部を嵌合させる左右一対の第２バーナ用開口とが開設され、更に、第１バーナと左右の第２バーナとの間に位置させて、第１バーナと左右の第２バーナとへの点火を行う点火部材が支持板に開設した透孔を通して支持板上に突出するように配置されると共に、第１と第２の各バーナの直上部に臨むように燃焼筐内に横方向から各バーナ用の火炎検知素子が挿入されるものにおいて、
支持板は、前板と後板とに２分割され、前板と後板との分割線として、各第２バーナ用の火炎検知素子の下方への投影位置より後側で各第２バーナ用開口の横方向外端部から支持板の横方向の外縁に達する第１の分割線と、点火部材の配置部の横方向両側で第１バーナ用開口の後縁から各第２バーナ用開口の前縁に達する第２の分割線とが設けられていることを特徴とする暖炉型暖房器。
【請求項２】
前記第２の分割線は、前記前板と前記後板との間に隙間が空くように幅広に形成されていることを特徴とする請求項１記載の暖炉型暖房器。
【請求項３】
前記前板と前記後板との一方の板の前記第２の分割線に沿う縁部に、前板と後板との他方の板の第２の分割線に沿う縁部の下面に接する舌片部が延出されると共に、舌片部との間に前記他方の板を挟む押え片がねじ止めされていることを特徴とする請求項２記載の暖炉型暖房器。
【発明の詳細な説明】
【技術分野】
【０００１】
本発明は、外ケースと、外ケース内に設けた燃焼筐とを備え、外ケースの前面側から燃焼筐内を目視可能とした暖炉型暖房器に関する。
【背景技術】
【０００２】
従来、この種の暖房器として、燃焼筐内の下部に配置した支持板上にセラミックス等の耐火材で形成された擬似薪を載置すると共に、支持板の下側に、支持板に開設した開口に臨ませてバーナを配置し、バーナを燃焼させたときに火炎が開口を通して支持板上に立ち昇り、恰も擬似薪が燃えているような視覚的印象を与えられるようにしたものが知られている(例えば、特許文献１参照)。
【０００３】
上記従来例のものでは、支持板の下側にトーチ状のバーナを複数配置しているが、これでは、擬似薪がバーナの配置部に合致する箇所で部分的に燃えている感じになる。そこで、支持板の下側に、横方向に長手の第１バーナと、第１バーナの後側に位置する横方向に長手の左右一対の第２バーナとを配置し、擬似薪が全体的に燃えているような印象を与えることが考えられる。この場合、支持板に、第１バーナの上端部を嵌合させる第１バーナ用開口と、左右の第２バーナの上端部を嵌合させる左右一対の第２バーナ用開口とを開設して、各バーナのぐらつきを防止することが望まれる。また、第１バーナと左右の第２バーナとの間に位置させて、第１バーナと左右の第２バーナとへの点火を行う点火部材を支持板に開設した透孔を通して支持板上に突出するように配置することが望まれる。更に、失火安全対策として、第１と第２の各バーナの直上部に臨むように燃焼筐内に横方向から各バーナ用の火炎検知素子を挿入することが望まれる。
【０００４】
このものにおいて、暖房器のメンテナンス時に、第１と第２の各バーナの点検修理を行うことができるようにするには、支持板を取外し可能とする必要がある。ここで、点火部材より上方に支持板を持ち上げれば、点火部材が透孔の下方に離脱すると共に、第１と第２の各バーナの上端部も各バーナ用開口の下方に離脱し、支持板を取外すことができる。然し、燃焼筐内に横方向から各バーナ用の火炎検知素子が挿入されていると、火炎検知素子への支持板の干渉で、支持板を点火部材より上方に持ち上げられなくなることがある。この場合、火炎検知素子を取外して支持板を持ち上げることも考えられるが、これでは手間がかかり、メンテナンス性が悪くなる。
【特許文献１】実公平５−３７１２９号公報
【発明の開示】
【発明が解決しようとする課題】
【０００５】
本発明は、以上の点に鑑み、火炎検知素子を取外すことなく支持板を取外すことができるようにして、メンテナンス性を向上させた暖炉型暖房器を提供することをその課題としている。
【課題を解決するための手段】
【０００６】
上記課題を解決するために、本発明は、外ケースと、外ケース内に設けた燃焼筐とを備え、外ケースの前面側から燃焼筐内を目視可能とした暖炉型暖房器であって、燃焼筐内の下部に配置した支持板上に擬似薪が載置され、支持板の下側に、横方向に長手の第１バーナと、第１バーナの後側に位置する横方向に長手の左右一対の第２バーナとが配置され、支持板に、第１バーナの上端部を嵌合させる第１バーナ用開口と、左右の第２バーナの上端部を嵌合させる左右一対の第２バーナ用開口とが開設され、更に、第１バーナと左右の第２バーナとの間に位置させて、第１バーナと左右の第２バーナとへの点火を行う点火部材が支持板に開設した透孔を通して支持板上に突出するように配置されると共に、第１と第２の各バーナの直上部に臨むように燃焼筐内に横方向から各バーナ用の火炎検知素子が挿入されるものにおいて、支持板は、前板と後板とに２分割され、前板と後板との分割線として、各第２バーナ用の火炎検知素子の下方への投影位置より後側で各第２バーナ用開口の横方向外端部からバーナ支持板の横方向の外縁に達する第１の分割線と、点火部材の配置部の横方向両側で第１バーナ用開口の後縁から各第２バーナ用開口の前縁に達する第２の分割線とが設けられていることを特徴とする。
【０００７】
本発明によれば、支持板の後板は、第１の分割線の後側の部分と、第２バーナ用開口の後側の部分と、左右の第２バーナ用開口の横方向内端間の部分と、点火部材の配置部の両側の第２の分割線間の部分(点火部材の配置部を含む部分)とを有する形状になる。ここで、第１の分割線は、第２バーナ用の火炎検知素子より後側に位置している。そのため、後板を、第１バーナ用と第２バーナ用の火炎検知素子への干渉を生ずることなく、点火部材より上方に持ち上げて取外すことができる。一方、前板を高く持ち上げると、第１バーナ用と第２バーナ用の火炎検知素子に前板が干渉する。然し、前板には点火部材の配置部が含まれていないため、前板を第１バーナの上端部が第１バーナ用開口の下方に離脱する高さ(この高さは火炎検知素子より低い)に持ち上げれば、前板をそのまま前方に取外すことができる。従って、第１バーナ用と第２バーナ用の火炎検知素子を取外すことなく後板と前板とを取外して、第１と第２の各バーナの点検修理を行うことができ、メンテナンス性が向上する。
【０００８】
ところで、第１バーナと第２バーナとの間の支持板の部分は第１と第２の両バーナにより加熱されて高温になり、この部分での熱歪を生じ易い。ここで、第２の分割線を、前板と後板との間に隙間が空くように幅広に形成すれば、この隙間により第１バーナと第２バーナとの間の支持板の部分の横方向の熱膨張が吸収され、熱歪の発生が抑制される。この場合、前板と後板との一方の板の第２の分割線に沿う縁部に、前板と後板との他方の板の第２の分割線に沿う縁部の下面に接する舌片部を延出すると共に、舌片部との間に前記他方の板を挟む押え片をねじ止めしておけば、前板と後板とが横方向の熱膨張を吸収可能な状態で相互に連結され、支持板全体としての強度が確保される。尚、前記一方の板に対する押え片のねじ止めを解除すれば、後板と前板とを上記の如く取外すことができる。
【発明を実施するための最良の形態】
【０００９】
以下、壁埋め込み式の暖炉型暖房器に本発明を適用した実施形態について説明する。この暖房器は、図１乃至図３に示す如く、外ケース１と、外ケース１内に設けた燃焼筐２とを備えている。外ケース１の前面には着脱自在な前面パネル１ａが設けられている。また、外ケース１は、図３に示す如く、室壁Ｗに形成した凹所Ｗａに埋め込まれるようにして配置され、室壁Ｗの前方に露出するのは外ケース１の前部のみになる。
【００１０】
燃焼筐２は、その前面に着脱自在な前面扉２ａを備えている。そして、前面扉２ａにガラス板２ｂを装着すると共に、外ケース１の前面パネル１ａに、ガラス板２ｂを臨ませる窓ガラス１ｂ付きの窓部１ｃを開設し、前面パネル１ａの前方から燃焼筐２内を目視できるようにしている。また、燃焼筐２内には、後述する擬似薪１３とバーナ１４，１５とが設けられており、バーナ１４，１５を燃焼させたときに、恰も擬似薪１３が燃えているような視覚的印象を与えることができるようにしている。
【００１１】
燃焼筐２内の燃焼排気は、燃焼筐２の後側に配置した熱交換器３と、熱交換器３の下流側に排気ファン４を介して接続される排気ダクト５とを介して屋外に強制的に排出される。また、燃焼筐２の底部には、給気ダクト６が接続されており、排気ファン４の吸引力により屋外の空気が給気ダクト６を介して燃焼筐２内に強制的に供給される。尚、排気ダクト５は、燃焼筐２の左外側に配置されており、排気ダクト５からの輻射熱が前面パネル１ａに及ぶことを防止するため、前面扉２ａは燃焼筐２の左側に張り出すように形成されている。
【００１２】
また、外ケース１内には、燃焼筐２の上方に位置させて温風ファン７が配置されている。そして、外ケース１の左右の各側板部１ｄの前縁部に空気取入れ口８を開設すると共に、前面パネル１ａの窓部１ｃの下側の部分に送風口９を開設し、室内空気を空気取入れ口８を介して温風ファン７に吸込み、温風ファン７から熱交換器３の配置部と燃焼筐２の下方空間とを経由して送風口９に送風して、温風暖房機能を得られるようにしている。
【００１３】
また、外ケース１内の燃焼筐２との間の右側の側部空間には、電子コントロールユニット１０とバーナ用のバルブユニット１１とが配置されている。そして、右側の空気取入れ口８から流入する室内空気により、これら電子コントロールユニット１０とバルブユニット１１とが空冷されるようにしている。尚、燃焼筐２の左右各側の外側には、外ケース１の底面及び背面に達する仕切り板２ｃが立設されており、温風ファン７から送風される空気が横方向に逃げることを仕切り板２ｃで防止できるようにしている。また、燃焼筐２の下方には、熱交換器３の配置部を通過した空気を送風口９に導くガイド板２ｄが配置されている。
【００１４】
燃焼筐２内の下部には、図４及び図５に示す如く、燃焼筐２の左右両側の内面に固設したブラケット２ｅ，２ｅに跨らせて支持板１２が配置されており、この支持板１２上に、図３に示す如く、セラミックス等の耐火材で形成された擬似薪１３が載置されている。また、支持板１２の下側には、横方向に長手の第１バーナ１４と、第１バーナ１４の後側に位置させて、横方向に長手の左右一対の第２バーナ１５，１５とが配置されている。そして、支持板１２に、第１バーナ１４の上端部を嵌合させる第１バーナ用開口１２ａと、左右の第２バーナ１５，１５の上端部を嵌合させる左右一対の第２バーナ用開口１２ｂ，１２ｂとを開設している。かくして、第１と第２の各バーナ１４，１５のぐらつきが防止されると共に、各バーナ１４，１５の上端部から噴出するガスが支持板１２上で燃焼し、支持板１２上の擬似薪１３が全体的に燃えているような印象を与えることができる。
【００１５】
また、第１バーナ１４と左右の第２バーナ１５，１５との間には、点火部材たる点火バーナ１６及び点火プラグ１７が支持板１２に開設した透孔１２ｃ、１２ｄ(図６参照)を通して支持板１２の上方に突出するに配置されている。そして、点火プラグ１７での火花放電により点火バーナ１６に点火され、点火バーナ１６から第１バーナ１４と左右の第２バーナ１５，１５とに火移り点火されるようにしている。
【００１６】
また、第１と第２の各バーナ１４，１５の直上部に臨むように、フレームロッドから成る各バーナ１４，１５用の火炎検知素子１８，１９が燃焼筐２内に横方向から挿入されている。尚、第１バーナ１４用の火炎検知素子１８と左側の第２バーナ１５用の火炎検知素子１９は燃焼筐２内にその左側から挿入され、右側の第２バーナ１５用の火炎検知素子１９は燃焼筐２内にその右側から挿入されている。更に、点火バーナ１６の近傍には、点火バーナ１６用の火炎検知素子２０が支持板１２に開設した透孔１２ｅを通して支持板１２上に突出するように配置されている。また、支持板１２には、上記した各バーナ用の開口１２ａ，１２ｂの周辺部に位置させて複数の二次空気孔１２ｆが形成され、更に、支持板１２の左右の側縁部に位置させて複数の取付孔１２ｇが形成され、これら取付孔１２ｇにおいて支持板１２がブラケット２ｅにねじ止めされる。
【００１７】
ところで、暖房器のメンテナンス時に、第１と第２の各バーナ１４，１５の点検修理を行うことができるようにするには、支持板１２を取外し可能とする必要がある。ここで、点火バーナ１６、点火プラグ１７及び点火バーナ用火炎検知素子２０より上方に支持板１２を持ち上げれば、これら点火バーナ１６、点火プラグ１７及び点火バーナ用火炎検知素子２０が透孔１２ｃ，１２ｄ，１２ｅの下方に離脱すると共に、第１と第２の各バーナ１４，１５の上端部も各バーナ用開口１２ａ，１２ｂの下方に離脱し、支持板１２を取外すことができる。然し、本実施形態の如く燃焼筐２内に第１と第２の各バーナ１４，１５用の火炎検知素子１８，１９が横方向から挿入されていると、火炎検知素子１８，１９への支持板１２の干渉で、支持板１２を点火バーナ１６、点火プラグ１７及び点火バーナ用火炎検知素子２０より上方に持ち上げられなくなる。この場合、第１と第２の各バーナ１４，１５用の火炎検知素子１８，１９を取外して支持板１２を持ち上げることも考えられるが、これでは手間がかかり、メンテナンス性が悪くなる。
【００１８】
そこで、本実施形態では、第１と第２の各バーナ１４，１５用の火炎検知素子１８，１９を取外さずに支持板１２を取外すことができるように、支持板１２を図６に示す如く前板１２１と後板１２２とに２分割している。即ち、支持板１２に、前板１２１と後板１２２との分割線として、図４、図５に示す如く、各第２バーナ１５用の火炎検知素子１９の下方への投影位置より後側で各第２バーナ用開口１２ｂの横方向外端部から支持板１２の横方向の外縁に達する第１の分割線Ｌ１，Ｌ１と、点火バーナ１６、点火プラグ１７及び点火バーナ用火炎検知素子２０の配置部(以下、点火部材の配置部という)の横方向両側で第１バーナ用開口１２ａの後縁から各第２バーナ用開口１２ｂの前縁に達する第２の分割線Ｌ２，Ｌ２とを設定し、これら分割線Ｌ１，Ｌ２で支持板１２を前板１２１と後板１２２とに２分割している。
【００１９】
これによれば、点火部材の配置部は後板１２２に含まれることになる。そのため、後板１２２を取外すには、ブラケット２ｅに対する前板１２１のねじ止めを解除した後、後板１２２を点火バーナ１６、点火プラグ１７及び点火バーナ用火炎検知素子２０より上方に持ち上げることが必要になる。ここで、第１の分割線Ｌ１に合致する後板１２２の横方向外端部の前縁は、第２バーナ１５用の火炎検知素子１９より後側に位置している。従って、後板１２２を、第１と第２の各バーナ１４，１５用の火炎検知素子１８，１９への干渉を生ずることなく、点火バーナ１６、点火プラグ１７及び点火バーナ用火炎検知素子２０より上方に持ち上げることができる。一方、前板１２１を高く持ち上げると、第１バーナ１４用と第２バーナ１５用の火炎検知素子１８，１９に前板１２１が干渉する。然し、前板１２１には点火部材の配置部が含まれていないため、ブラケット２ｅに対する前板１２１のねじ止めを解除して、前板１２１を第１バーナ１５の上端部が第１バーナ用開口１２ａの下方に離脱する高さ(この高さは火炎検知素子１８，１９より低い)に持ち上げれば、前板１２１をそのまま前方に取外すことができる。かくして、第１と第２の各バーナ１４，１５用の火炎検知素子１８，１９を取外すことなく前板１２１と後板１２２とを取外して、第１と第２の各バーナ１４，１５の点検修理を行うことができ、メンテナンス性が向上する。
【００２０】
ところで、第２の分割線Ｌ２を形成する第１バーナ１４と第２バーナ１５との間の支持板１２の部分は、第１と第２の両バーナ１４，１５からの熱を受けて高温になるため、熱歪を生じ易い。そこで、本実施形態では、第２の分割線Ｌ２を、前板１２１と後板１２２との間に隙間が空くように幅広に形成している。これによれば、第２の分割線Ｌ２における隙間により第１バーナ１２１と第２バーナ１２２との間の前板１２１及び後板１２２の部分の横方向の熱膨張が吸収され、熱歪の発生が抑制される。
【００２１】
また、図６に示されているように、前板１２１の第２の分割線Ｌ２に沿う縁部に、横方向内方に張り出して後板１２２の第２の分割線Ｌ２に沿う縁部の下面に接する舌片部１２３を延出している。そして、前板１２１の第２の分割線Ｌ２に沿う縁部に、これに形成したねじ孔１２ｈを用いて、舌片部１２３との間に後板１２２を挟む押え片１２４をねじ止めしている。これによれば、前板１２１と後板１２２とが横方向の熱膨張を吸収可能な状態で相互に連結され、支持板１２全体としての強度が確保される。また、前板１２１に対する押え片１２４のねじ止めを解除すれば、後板１２２と前板１２１とを上記の如く取外すことができる。尚、本実施形態では、前板１２１に舌片部１２３を延出しているが、後板１２２第２の分割線Ｌ２に沿う縁部に、前板１２１の第２の分割線Ｌ２に沿う縁部の下面に接する舌片部１２３を延出すると共に押え片１２４をねじ止めして、舌片部１２３と押え片１２４との間に前板１２１を挟むことも可能である。
【００２２】
また、上記実施形態では、点火部材として点火バーナ１６と点火プラグ１７とを設けているが、第１バーナ１４と左右の第２バーナ１５，１５との間に点火部材としてこれらバーナ１４，１５に対応する３個の点火プラグを配置し、第１と第２の各バーナ１４，１５に各点火プラグによる火花放電でダイレクト点火するようにしても良い。
【００２３】
以上、壁埋め込み式の暖炉型暖房器に本発明を適用した実施形態について説明したが、床置き式の暖炉型暖房器にも同様に本発明を適用できる。
【図面の簡単な説明】
【００２４】
【図１】本発明の実施形態の暖房器の斜視図。
【図２】実施形態の暖房器の前面パネルを取外した状態の正面図。
【図３】図２のＩＩＩ−ＩＩＩ線で切断した実施形態の暖房器の切断側面図。
【図４】実施形態の暖房器の燃焼筐の擬似薪を取外した状態の斜視図。
【図５】燃焼筐の切断平面図。
【図６】燃焼筐内の支持板の分解状態の斜視図。
【符号の説明】
【００２５】
１…外ケース、２…燃焼筐、１２…支持板、１２１…前板、１２２…後板、１２３…舌片部、１２４…押え板、Ｌ１…第１の分割線、Ｌ２…第２の分割線、１２ａ…第１バーナ用開口、１２ｂ…第２バーナ用開口、１２ｃ，１２ｄ，１２ｅ…透孔、１３…擬似薪、１４…第１バーナ、１５…第２バーナ、１６…点火バーナ(点火手段)、１７…点火プラグ(点火手段)、１８…第１バーナ用火炎検知素子、１９…第２バーナ用火炎検知素子。
【図１】
2006183920.tif 000003
【図２】
2006183920.tif 000004
【図３】
2006183920.tif 000005
【図４】
2006183920.tif 000006
【図５】
2006183920.tif 000007
【図６】
2006183920.tif 000008